(57)【要約】【課題】暖房運転時に、能力の低い圧縮機を低出力で運転した場合でも、圧縮機の液バックの発生を防止することのできる空気調和装置を提供する。【解決手段】エンジンで駆動されるＧＨＰ圧縮機１３を備えたＧＨＰ室外ユニット２と、商用電源で駆動されるＥＨＰ圧縮機６２を備えたＥＨＰ室外ユニット３とをユニット間配管５を介して室内ユニット４にそれぞれ接続し、ＧＨＰ室外ユニット２およびＥＨＰ室外ユニット３を運転して室内ユニット４により室内の空調を行う空気調和装置において、システム制御部１０３を備え、システム制御部１０３は、エンジンで駆動されるＧＨＰ圧縮機１３を適正能力で運転するとともに、商用電源で駆動されるＥＨＰ圧縮機６２を低出力で運転する際に、このＥＨＰ圧縮機６２の最低駆動周波数を、外気温度に応じて液バックが発生しないように制御する。【選択図】図１
2017150689.tif 000002
【特許請求の範囲】
【請求項１】
能力の高い圧縮機を備えた第２の室外ユニットと、能力の低い圧縮機を備えた第１の室外ユニットとをユニット間配管を介して室内ユニットにそれぞれ接続し、前記各室外ユニットを運転して前記室内ユニットにより室内の空調を行う空気調和装置において、
制御部を備え、
前記制御部は、前記能力の高い圧縮機を適正能力で運転するとともに、前記能力の低い圧縮機を低出力で運転する際に、前記能力の低い圧縮機の最低駆動周波数を、外気温度に応じて液バックが発生しないように制御することを特徴とする空気調和装置
【請求項２】
前記能力の高い圧縮機を備えた室外ユニットは、エンジンで駆動されるＧＨＰ圧縮機を備えたＧＨＰ室外ユニットであり、前記能力の低いＥＨＰ圧縮機を備えた室外ユニットは、商用電源で駆動される圧縮機を備えたＥＨＰ室外ユニットであることを特徴とする請求項１に記載の空気調和装置。
【請求項３】
前記能力の低い圧縮機の最低駆動周波数は、外気温度の所定温度ごとにあらかじめ設定されていることを特徴とする請求項１または請求項２に記載の空気調和装置。
【発明の詳細な説明】
【技術分野】
【０００１】
本発明は、空気調和装置に係り、特に、ＧＨＰ室外ユニットとＥＨＰ室外ユニットとを併用する空気調和装置に関する。
【背景技術】
【０００２】
一般に、ガスエンジンなどにより駆動される圧縮機が搭載された室外ユニットと、電気により駆動される圧縮機が搭載された室外ユニットとを用いて、室内ユニットによる空調を行う空気調和装置が知られている。
このような空気調和装置として、従来、例えば、室外ユニットのうちの一方の室外ユニットに商用電源からの電力で駆動される圧縮機を内蔵するとともに、他方の室外ユニットにエンジンで駆動される圧縮機を内蔵し、いずれの室外ユニットを中心に運転させるかを選択し、選択された室外ユニットを中心に運転させるようにした技術が開示されている（例えば、特許文献１参照）。
【先行技術文献】
【特許文献】
【０００３】
【特許文献１】特許第３０１１５４３号公報
【発明の概要】
【発明が解決しようとする課題】
【０００４】
しかしながら、前記従来の空気調和装置では、例えば、暖房運転時において、ＧＨＰ室外ユニットの圧縮機を通常の出力で運転し、ＥＨＰ室外ユニットの圧縮機を低出力で運転している場合に、ＥＨＰ室外ユニットの圧縮機の吐出圧力が高圧側に引っ張られることが発生する。
このようにＥＨＰ室外ユニットの圧縮機の吐出圧力が高圧側に引っ張られると、冷媒の蒸発が適正に行われなくなり、いわゆる液バックが発生してしまい、その結果、オイルレベルの低下を招き、ＥＨＰ圧縮機６２の動作不良などを招くおそれがあるという問題がある。
本発明は、前記した点に鑑みてなされたものであり、暖房運転時に、能力の低い圧縮機を低出力で運転した場合でも、圧縮機の液バックの発生を防止することのできる空気調和装置を提供することを目的とする。
【課題を解決するための手段】
【０００５】
前記目的を達成するため、本発明は、能力の高い圧縮機を備えた第２の室外ユニットと、能力の低い圧縮機を備えた第１の室外ユニットとをユニット間配管を介して室内ユニットにそれぞれ接続し、前記各室外ユニットを運転して前記室内ユニットにより室内の空調を行う空気調和装置において、制御部を備え、前記制御部は、前記能力の高い圧縮機を適正能力で運転するとともに、前記能力の低い圧縮機を低出力で運転する際に、前記能力の低い圧縮機の最低駆動周波数を、外気温度に応じて液バックが発生しないように制御することを特徴とする。
【０００６】
前記構成において、前記能力の高い圧縮機を備えた室外ユニットは、エンジンで駆動されるＧＨＰ圧縮機を備えたＧＨＰ室外ユニットであり、前記能力の低い圧縮機を備えた室外ユニットは、商用電源で駆動されるＥＨＰ圧縮機を備えたＥＨＰ室外ユニットであることを特徴とする。
【０００７】
前記構成において、前記能力の低い圧縮機の最低駆動周波数は、外気温度の所定温度ごとにあらかじめ設定されていることを特徴とする。
【発明の効果】
【０００８】
本発明の空気調和装置によれば、能力の高い圧縮機を適正能力で運転するとともに、能力の低い圧縮機を低出力で運転する際に、能力の低い圧縮機の最低駆動周波数を、外気温度に応じて液バックが発生しないように制御することで、能力の低い圧縮機におけるオイルレベル低下を防止することができ、圧縮機の動作不良の発生を防止することが可能となる。
【図面の簡単な説明】
【０００９】
【図１】本発明の実施の形態に係る空気調和装置の構成図である。
【図２】空気調和装置の機能的構成を示すブロック図である。
【図３】ＧＨＰ室外ユニットおよびＥＨＰ室外ユニットをそれぞれ単体で運転したときの状態を示すｐ−ｈ線図である。
【図４】ＧＨＰ室外ユニットおよびＥＨＰ室外ユニットを同時に運転したときの状態を示すｐ-ｈ線図である。
【図５】ＧＨＰ圧縮機を通常の出力で運転し、ＥＨＰ圧縮機の出力を変化させた場合に、ＥＨＰ室外ユニットに液バックが発生するＥＨＰ圧縮機の駆動周波数と外気温度との関係を示すグラフである。
【図６】冷媒の圧力制御のフローチャートである。
【発明を実施するための形態】
【００１０】
以下、図面を参照して本発明の一実施形態について説明する。
図１は、本発明の実施の形態に係る空気調和装置の構成図である。
空気調和装置１は、能力の高い圧縮機としてのガスエンジンで駆動される圧縮機を備えたＧＨＰ室外ユニット２（第２の室外ユニット）と、能力の低い圧縮機としての商用電源で駆動される圧縮機を備えたＥＨＰ室外ユニット３（第１の室外ユニット）と、複数の室内ユニット４とを備えている。ＧＨＰ室外ユニット２、ＥＨＰ室外ユニット３および各室内ユニット４とは、ユニット間配管５およびオイルバランス管６を介して接続され、これにより、空調運転を行うための冷凍サイクル回路が構成されている。
【００１１】
ＧＨＰ室外ユニット２は、外部のユニット間配管５と接続するための２つの外部接続バルブ１０ａ，１０ｂおよびオイルバランス管６を接続するためのオイル接続バルブ１１を備えている。
ＧＨＰ室外ユニット２には、エンジンとしてのガスエンジン１２と、ガスエンジン１２の駆動力により冷媒を圧縮するＧＨＰ圧縮機１３とが設けられている。ＧＨＰ圧縮機１３は、並列に設けられる第１のＧＨＰ圧縮機１３ａおよび第２のＧＨＰ圧縮機１３ｂから構成されている。
ガスエンジン１２は、燃料調整弁（図示せず）を経て供給されるガスなどの燃料と、スロットル弁（図示せず）を経て供給される空気との混合気を燃焼させて駆動力を発生するようになっている。
ガスエンジン１２の出力軸と、ＧＨＰ圧縮機１３の従動軸との間には、駆動ベルト１４が掛け渡されており、ガスエンジン１２の駆動力を駆動ベルト１４を介して伝達することで、ＧＨＰ圧縮機１３を駆動するように構成されている。
【００１２】
ＧＨＰ圧縮機１３の吐出側には、オイルセパレータ１５、四方弁１６および２つの室外熱交換器１７，１７が順に接続され、各室外熱交換器１７は、冷媒配管２０を介して一方の外部接続バルブ１０ａに接続されている。室外熱交換器１７の近傍には、室外熱交換器１７と外気との熱交換を行うための室外送風機１８が設けられている。
また、他方の外部接続バルブ１０ｂには、冷媒配管２０が接続されており、この冷媒配管２０は、途中四方弁１６およびアキュムレータ１９を介してＧＨＰ圧縮機１３の吸込側に接続されている。
【００１３】
冷媒配管２０の中途部には、電動弁２４と逆止弁２５とが並列に接続されており、冷媒配管２０には、アキュムレータ１９の流入側に接続されるリキッド管２２が接続されている。室外熱交換器１７と外部接続バルブ１０ａとの間には、ドライコア３９が設けられている。
また、ＧＨＰ圧縮機１３の吸込側と冷媒配管２０との間には、ＧＨＰ圧縮機１３の吸込側と冷媒配管２０とを接続する熱交換冷媒配管２３が接続されており、この熱交換冷媒配管２３には、電動弁２６が設けられている。熱交換冷媒配管２３の電動弁２６とＧＨＰ圧縮機１３の吸込側との間には、プレート型熱交換器２７が設けられている。
【００１４】
ＧＨＰ室外ユニット２は、ＧＨＰ圧縮機１３の吐出側と吸込側とを接続するバイパス管２８を備えている。バイパス管２８の一端は、オイルセパレータ１５と四方弁１６との間に接続され、バイパス管２８の他端は、アキュムレータ１９と四方弁１６との間に接続される。ＧＨＰ圧縮機１３の吐出側の冷媒の一部は、圧力差により、バイパス管２８を通ってＧＨＰ圧縮機１３の吸込側に流れる。
バイパス管２８には、バイパス管２８の流量を調整するバイパス弁２９が設けられている。バイパス弁２９は、段階的に開閉可能な電動弁である。
【００１５】
ＧＨＰ室外ユニット２は、オイルセパレータ１５とＧＨＰ圧縮機１３の吸込側とを接続するオイル戻し管３０を備えている。オイルセパレータ１５の内部に貯留される潤滑用のオイルは、ＧＨＰ圧縮機１３の吐出側と吸込側との圧力差により、オイル戻し管３０を通って吸込側に流される。
【００１６】
オイル戻し管３０は、オイルセパレータ１５のオイル流出口とＧＨＰ圧縮機１３の吸込側とを接続する第１の戻し管３１と、第１の戻し管３１に対して並列に設けられる第２の戻し管３６とを備えている。
第１の戻し管３１は、キャピラリチューブ３２を備えている。
第２の戻し管３６は、キャピラリチューブ３２をバイパスするように第１の戻し管３１に接続されており、第２の戻し管３６の一端は、第１の戻し管３１におけるキャピラリチューブ３２の上流側に接続され、第２の戻し管３６の他端は、第１の戻し管３１におけるキャピラリチューブ３２の下流側に接続される。
第２の戻し管３６は、キャピラリチューブ３３と、キャピラリチューブ３３の下流に設けられるオイル戻し弁３４とを備えている。
【００１７】
オイル接続バルブ１１には、オイル管３５が接続されている。オイル管３５は、途中で分岐し、その一方は、冷媒配管２０のオイルセパレータ１５より下流側に接続されるとともに、他方は、第２の戻し管３２のキャピラリチューブ３３とオイル戻し弁３４との間に接続されている。
【００１８】
冷媒配管２０に接続される外部接続バルブ１０ａには、ユニット間配管５を介して各室内ユニット４の室内熱交換器４０の一端が接続されている。ユニット間配管５の中途部には、膨張弁４１が設けられている。
各室内ユニット４の内部には、室内熱交換器４０と室内空気との熱交換を行うための室内送風機４２が設けられている。
また、各室内熱交換器４０の他端には、ユニット間配管５を介して冷媒配管２０に接続される外部接続バルブ１０ｂが接続されている。
【００１９】
また、ＧＨＰ室外ユニット２は、ガスエンジン１２の冷却水回路５０を備えている。
冷却水回路５０は、ガスエンジン１２から冷却水配管５１を介して順に接続される冷却水三方弁５２と、プレート型熱交換器２７と、一方の室外熱交換器１７に近接配置されたラジエータ５３と、冷却水ポンプ５４と、ガスエンジン１２の排気ガス熱交換器５５とを備え、冷却水ポンプ５４を駆動することにより、この回路内に冷却水を循環させるように構成されている。
冷却水回路５０の冷却水配管５１は、図１に二重線で示されるとともに、冷却水の流れは、実線の矢印で示される。
ラジエータ５３では、外気と冷却水との熱交換が行われる。
また、プレート型熱交換器２７では、電動弁２６の動作で、ＧＨＰ圧縮機１３に戻る冷媒が冷却水配管５１内を流れる冷却水によって加熱される。これにより、冷媒の低圧圧力が上昇し、暖房効率が向上する。
【００２０】
冷却水回路５０は、ガスエンジン１２、冷却水三方弁５２、ラジエータ５３、冷却水ポンプ５４、排気ガス熱交換器５５およびガスエンジン１２の順に冷却水が流れる第１経路を形成可能である。
また、冷却水回路５０は、冷却水を、ガスエンジン１２、冷却水三方弁５２、プレート型熱交換器２７、冷却水ポンプ５４、排気ガス熱交換器５５およびガスエンジン１２の順に冷却水が流れる第２経路を形成可能である。
【００２１】
次に、ＥＨＰ室外ユニット３について説明する。
ＥＨＰ室外ユニット３は、外部のユニット間配管５と接続するための２つの外部接続バルブ６０およびオイルバランス管６を接続するためのオイル接続バルブ６１を備えている。
ＥＨＰ室外ユニット３２は、商用電源で駆動されるＥＨＰ圧縮機６２を備えている。このＥＨＰ圧縮機６２は、例えば、出力を可変することのできるインバータ式の圧縮機とされている。
【００２２】
ＥＨＰ圧縮機６２の吐出側には、オイルセパレータ６３、四方弁６４および２つの室外熱交換器６５，６５が順に接続され、室外熱交換器６５は、冷媒配管２１を介して一方の外部接続バルブ６０ａに接続されている。室外熱交換器６５の近傍には、室外熱交換器６５と外気との熱交換を行うための室外送風機６６（図２を参照）が設けられている。
室外熱交換器６５と外部接続バルブ６０ａとの間には、レシーバタンク６７が設けられている。
室外熱交換器６５には、２系統の管路が形成されており、四方弁６４側の冷媒配管２１およびレシーバタンク６７側の冷媒配管２１は、それぞれ分岐して室外熱交換器６５に接続されるように構成されている。また、室外熱交換器６５のレシーバタンク６７側の冷媒配管２１には、それぞれ室外用電子制御弁６８，６８が設けられている。
【００２３】
他方の外部接続バルブ６０には、冷媒配管２１を介して、ＥＨＰ圧縮機６２の吸込側に接続されており、冷媒配管の中途部には、四方弁６４およびアキュムレータ６９が設けられている。
【００２４】
また、ＥＨＰ圧縮機６２とオイルセパレータ６３との間の冷媒配管２１の中途部には、分岐してＥＨＰ圧縮機６２とアキュムレータ６９との間の冷媒配管２１に接続される冷媒戻し配管７０が設けられている。冷媒戻し配管７０の中途部には、冷媒戻し用電磁弁７１が設けられている。そして、冷媒戻し用電磁弁７１を開くと、冷媒の一部は、冷凍サイクルを循環せずにＥＨＰ圧縮機６２の吸込側に導かれる。
【００２５】
また、オイルセパレータ６３の下部には、オイル管７２が接続されており、オイル管７２の中途部には、ＥＨＰ圧縮機６２の吸込側に接続されるオイル戻し配管７３が接続されている。オイル戻し配管７３は、オイル管７２から分岐する２つの分岐管７４，７５を備えており、一方の分岐管７４には、オイル戻し用電磁弁７６３１が設けられるとともに、他方の分岐管７５には、キャピラリチューブ７８が設けられている。また、オイル配管２７の各分岐管７４，７５の接続部分の間には、キャピラリチューブ７９が設けられている。
【００２６】
オイルセパレータ６３と四方弁６４との間の冷媒配管２１の中途部には、途中分岐してオイル管７２の中途部に接続される高圧冷媒配管８０が接続されている。高圧冷媒配管８０の中途部には、高圧冷媒用電磁弁８１が設けられている。
【００２７】
また、アキュムレータ６９は、冷媒配管２１の冷媒が流入される流入管８２と、アキュムレータ６９の内部のガス冷媒をＥＨＰ圧縮機６２に送る流出管８３とを備えている。流出管８３は、アキュムレータ６９の内部上方に開口するように構成されており、アキュムレータ６９の内部上方に溜まったガス冷媒をＥＨＰ圧縮機６２に送るように構成されている。
また、ＥＨＰ圧縮機６２には、ＥＨＰ圧縮機６２の吸込側に接続されるオーバーフロー管８４が接続されている。このオーバーフロー管８４には、ストレーナ８５と、油を減圧するための絞り８６が組み込まれている。
さらに、ＥＨＰ室外ユニット３には、外部温度を検出するための外気温センサ９０が設けられている。
【００２８】
ＥＨＰ室外ユニット３の外部接続バルブ６０ａには、ユニット間配管５の一端が接続され、このユニット間配管５の他端は、ＧＨＰ室外ユニット２の外部接続バルブ１０ａと室内ユニット４とを接続するユニット間配管５の中途部に接続されている。ＥＨＰ室外ユニット３の冷媒配管に接続される外部接続バルブ６０ｂには、ユニット間配管５の一端が接続され、このユニット間配管５の他端は、ＧＨＰ室外ユニット２の外部接続バルブ１０ｂと室内ユニット４とを接続するユニット間配管５の中途部に接続されている。
【００２９】
また、ＥＨＰ室外ユニット３のオイル接続バルブ６１と、ＧＨＰ室外ユニット２のオイル接続バルブ１１とは、オイルバランス配管を介して接続されている。これにより、オイルバランス配管を介して、ＧＨＰ室外ユニット２のＥＨＰ圧縮機６２と、ＥＨＰ室外ユニット３のＥＨＰ圧縮機６２との間で、オイルを互いに供給することでき、ＧＨＰ室外ユニット２のＥＨＰ圧縮機６２と、ＥＨＰ室外ユニット３のＥＨＰ圧縮機６２とのオイル量のバランスを保持することができる。
そして、冷房運転を行う場合には、図１中実線矢印で示すように、冷媒が流れ、暖房運転を行う場合は、図１中破線で示すように、冷媒が流れる。
【００３０】
次に、本実施形態の空気調和装置の制御構成について説明する。図２は本実施形態における制御構成を示すブロック図である。
図２に示すように、本実施形態においては、ＧＨＰ室外ユニット２は、ＧＨＰ制御部１００を備えており、ＥＨＰ室外ユニット３は、ＥＨＰ制御部１０１を備えている。また、室内ユニット４は、それぞれ室内制御部１０２を備えている。空気調和装置は、ＧＨＰ制御部１００、ＥＨＰ制御部１０１および室内制御部１０２を統括して制御する制御部としてのシステム制御部１０３を備えている。
これらＧＨＰ制御部１００、ＥＨＰ制御部１０１、室内制御部１０２およびシステム制御部１０３は、例えば、ＣＰＵなどの演算処理回路、記憶手段としてのＲＯＭ、ＲＡＭなどを備え、所定のプログラムを実行することにより、所定の制御を行うものである。
【００３１】
図２に示すように、ＧＨＰ制御部１００は、ガスエンジン１２および室外送風機１８を駆動制御するように構成されている。
ＥＨＰ制御部１０１は、外気温センサ９０による検出値に基づいて、ＥＨＰ圧縮機６２および室外送風機６６を駆動制御するように構成されている。
なお、本実施形態においては、ＥＨＰ室外ユニット３のみに外気温センサ９０を設けるようにしているが、ＧＨＰ室外ユニット２にも外気温センサ９０を設けるようにしてもよい。
室内制御部１０２は、室温センサによる検出値に基づいて、室内送風機４２および弁動作を駆動制御するように構成されている。
システム制御部１０３は、室内ユニット４の運転台数、設定温度、外気温度などに基づいて、ＧＨＰ室外ユニット２、ＥＨＰ室外ユニット３および室内ユニット４を制御することで、ＧＨＰ室外ユニット２による運転と、ＥＨＰ室外ユニット３による運転とが、最も省エネルギになるように、ＧＨＰ制御部１００、ＥＨＰ制御部１０１および室内制御部１０２に制御信号を出力する。これにより、ＧＨＰ制御部１００によりＧＨＰ室外ユニット２の運転制御、ＥＨＰ制御部１０１によりＥＨＰ室外ユニット３の運転制御、室内制御部１０２により室内ユニット４の運転制御をそれぞれ効率よく行うように構成されている。
【００３２】
この場合において、例えば、暖房時において、ＧＨＰ室外ユニット２のＧＨＰ圧縮機１３を通常の出力で運転し、ＥＨＰ室外ユニット３のＥＨＰ圧縮機６２を低出力で運転した場合に、ＥＨＰ室外ユニット３のＥＨＰ圧縮機６２の吐出圧力が高圧側が引っ張られることが発生する。
図３は、ＧＨＰ室外ユニット２およびＥＨＰ室外ユニット３をそれぞれ単体で運転したときの状態を示すｐ−ｈ線図である。図４は、ＧＨＰ室外ユニット２およびＥＨＰ室外ユニット３を同時に運転したときの状態を示すｐ-ｈ線図である。
図３では、ＧＨＰ室外ユニット２により、ＧＨＰ圧縮機１３の吐出側圧力が３．１ＭＰａで運転している場合の状態を実線で示す。また、ＥＨＰ室外ユニット３により、ＥＨＰ圧縮機６２の吐出側圧力が２．９０ＭＰａで運転している場合の状態を破線で示す。このようにＧＨＰ室外ユニット２のＧＨＰ圧縮機１３を運転した場合と、ＥＨＰ室外ユニット３のＥＨＰ圧縮機６２を運転した場合では、異なるｐ-ｈ線を示すことになる。
【００３３】
これに対して、図４に示すように、ＧＨＰ室外ユニット２のＧＨＰ圧縮機１３およびＥＨＰ室外ユニット３のＥＨＰ圧縮機６２を同時に運転した場合は、ＥＨＰ室外ユニット３のＥＨＰ圧縮機６２の吐出側の高圧側の圧力が、ＧＨＰ室外ユニット２のＧＨＰ圧縮機１３による吐出圧力に引っ張られ、上昇してしまう。これにより、ＥＨＰ室外ユニット３のＥＨＰ圧縮機６２の吸入側の低圧側の圧力も一緒に上昇してしまい、ＥＨＰ室外ユニット３のｐ-ｈ線が高圧側にシフトして運転されることになる。
【００３４】
このようにＥＨＰ室外ユニット３のＥＨＰ圧縮機６２の吐出圧力の低圧側が高圧側にシフトしてしまうと、冷媒の蒸発温度が外気温を上回ってしまい、冷媒の蒸発が適正に行われなくなり、未蒸発の冷媒がＥＨＰ圧縮機６２に戻る、いわゆる液バックが発生してしまう。液バックの発生は、オイルレベルの低下を招き、ＥＨＰ圧縮機６２の動作不良などを招くおそれがある。
一方、ＧＨＰ室外ユニット２には、プレート型熱交換器２７があり、このプレート型熱交換器２７によってＧＨＰ圧縮機１３の吸込側の冷媒は、冷却水三方弁５２の開放によってエンジン１２の冷却による排熱で加熱されるので、所定の蒸発圧力が得られる。
【００３５】
そのため、本実施形態においては、外気温に対するＥＨＰ室外ユニット３のＥＨＰ圧縮機６２の液バックが発生する領域をあらかじめ評価しておく。
図５は、ＧＨＰ室外ユニット２のＧＨＰ圧縮機１３を通常の出力で運転し、ＥＨＰ室外ユニット３のＥＨＰ圧縮機６２の出力を変化させた場合に、ＥＨＰ室外ユニット３に液バックが発生するＥＨＰ圧縮機６２の駆動周波数と外気温度の関係を示すグラフである。図５中の黒四角で示すポイントは、液バックが発生するポイントを示している。
図５に示すように、液バックが発生するポイントを結ぶと、液バックは、ＥＨＰ圧縮機６２の駆動周波数と外気温度との間に反比例する関係があることがわかる。液バックが発生するポイントを結んだ線より下方が液バックが発生する領域である。
これを参照し、外気温度を１０℃ごとに区切って、それぞれの外気温度に応じたＥＨＰ圧縮機６２の最低駆動周波数を決定しておく。例えば、外気温度が１０〜２０℃および２０℃〜３０℃の場合は、ＥＨＰ圧縮機６２の最低駆動周波数を３０％に設定し、外気温度が０〜１０℃の場合は、ＥＨＰ圧縮機６２の最低駆動周波数を５０％に設定し、外気温度が０℃以下の場合は、ＥＨＰ圧縮機６２の最低駆動周波数を１００％に設定する。
【００３６】
ＥＨＰ制御部１０１は、外気温センサ９０により検出された外気温度の検出値をシステム制御部１０３に送り、システム制御部１０３は、設定された外気温度に応じたＥＨＰ圧縮機６２の最低駆動周波数に基づいて、ＥＨＰ圧縮機６２の最低駆動周波数が液バック領域に到達しないように制御信号をＥＨＰ制御部１０１に送るように構成されている。ＥＨＰ制御部１０１は、システム制御部１０３から送られる最低駆動周波数に基づいて、ＥＨＰ圧縮機６２の駆動制御を行う。
この際、ＧＨＰ制御部１００においては、例えば、ＥＨＰ制御部１０１からの周波数に応じて、ガスエンジン１２の回転数を低下させて、ＥＨＰ制御部１０１によるＥＨＰ室外ユニット３と、ＧＨＰ室外ユニット２とを合計した適正能力が、要求負荷となるように調整する。
【００３７】
このＥＨＰ圧縮機６２の最低駆動周波数の制御を行うのは、ＥＨＰ室外ユニット３とＧＨＰ室外ユニット２が同時に運転されている場合であり、ＥＨＰ室外ユニット３が単独で運転されている場合には、適用しない。
なお、図５においては、外気温度を１０℃ごとに区切ってＥＨＰ圧縮機６２の最低駆動周波数を設定するようにしているが、これに限定されない。例えば、５℃ごとに最低駆動周波数を設定するようにしてもよい。
また、外気温度が０℃以下の場合には、ＥＨＰ圧縮機６２をほぼ１００％の出力で駆動し、最低駆動周波数を設定していないが、０℃以下の場合でも、外気温に応じて最低駆動周波数を設定するようにしてもよい。
【００３８】
次に、本実施形態の動作について、図６に示すフローチャートを参照して説明する。
空気調和装置により暖房運転を開始すると（ＳＴ１）、システム制御部１０３は、設定室温に基づいて、ＧＨＰ制御部１００、ＥＨＰ制御部１０１および室内制御部１０２に制御信号を出力することで、ＧＨＰ室外ユニット２の運転制御、ＥＨＰ室外ユニット３の運転制御および室内ユニット４の運転制御を行って室内の空調を行う。
【００３９】
そして、システム制御部１０３により、ＧＨＰ室外ユニット２のＧＨＰ圧縮機１３を通常能力で運転し、ＥＨＰ室外ユニット３のＥＨＰ圧縮機６２を低出力で運転するように制御する場合は（ＳＴ２：ＹＥＳ）、ＥＨＰ室外ユニット３の外気温センサ９０により、外気温度を検出する（ＳＴ３）。外気温度が検出されたら、ＥＨＰ制御部１０１により、外気温度の検出値をシステム制御部１０３に送る（ＳＴ４）。
システム制御部１０３は、外気温度に基づいて、あらかじめ設定された外気温度に応じたＥＨＰ圧縮機６２の最低駆動周波数を決定し、ＥＨＰ圧縮機６２の最低駆動周波数が液バック領域に到達しないようにＥＨＰ制御部１０１に制御信号を送る（ＳＴ５）。ＥＨＰ制御部１０１は、送られた最低駆動周波数に基づいて、ＥＨＰ圧縮機６２の駆動制御を行う（ＳＴ６）。
【００４０】
以上説明したように、本発明を適用した実施形態においては、エンジンで駆動されるＧＨＰ圧縮機１３（能力の高い圧縮機）を備えたＧＨＰ室外ユニット２（室外ユニット）と、商用電源で駆動されるＥＨＰ圧縮機６２（能力の低い圧縮機）を備えたＥＨＰ室外ユニット３（室外ユニット）とをユニット間配管５を介して室内ユニット４にそれぞれ接続し、ＧＨＰ室外ユニット２およびＥＨＰ室外ユニット３を運転して室内ユニット４により室内の空調を行う空気調和装置において、システム制御部１０３（制御部）を備え、システム制御部１０３は、エンジンで駆動されるＧＨＰ圧縮機１３を適正能力で運転するとともに、商用電源で駆動されるＥＨＰ圧縮機６２を低出力で運転する際に、このＥＨＰ圧縮機６２の最低駆動周波数を、外気温度に応じて液バックが発生しないように制御する。
これによれば、ＧＨＰ室外ユニット２のＧＨＰ圧縮機１３を適正能力で運転し、ＥＨＰ室外ユニット３のＥＨＰ圧縮機６２を低出力で運転するように制御した場合でも、外気温度に応じて、ＥＨＰ室外ユニット３のＥＨＰ圧縮機６２による液バックを確実に防止することかできる。その結果、ＥＨＰ室外ユニット３のＥＨＰ圧縮機６２におけるオイルレベル低下を防止することができ、ＥＨＰ圧縮機６２の動作不良の発生を防止することが可能となる。
なお、ＧＨＰ圧縮機１３の適正能力とは、ＥＨＰ圧縮機６２の出力が液バック防止を目的に多少上昇させたことに対応して、ＧＨＰ圧縮機１３の回転数を多少下降させ、ＧＨＰ圧縮機１３（ＧＨＰ室外ユニット２）とＥＨＰ圧縮機１２（ＥＨＰ室外ユニット３）の合計の能力を適正に保つことである。
【００４１】
また、本実施形態においては、ＥＨＰ室外ユニット３に備えられる商用電源で駆動されるＥＨＰ圧縮機６２の最低駆動周波数は、外気温度の所定温度ごとにあらかじめ設定されている。
これによれば、外気温度の所定温度ごとにＥＨＰ圧縮機６２の最低駆動周波数を設定しているので、一定の範囲の外気温度ごとにＥＨＰ圧縮機６２の最低駆動周波数を制御することができる。
【００４２】
なお、前記実施の形態は本発明を適用した一態様を示すものであって、本発明は前記実施形態に限定されるものではない。
前記実施形態においては、能力の高いＧＨＰ圧縮機１３を備えた室外ユニットとしてＧＨＰ室外ユニット２、能力の低いＥＨＰ圧縮機６２を備えた室外ユニットとしてＥＨＰ室外ユニット３を用いた場合について説明したが、本発明はこれに限定されない。例えば、能力の異なるエンジン駆動のＧＨＰ圧縮機１３を備えた２つのＧＨＰ室外ユニット２または能力の異なる商用電源駆動のＥＨＰ圧縮機６２を備えた２つのＥＨＰ室外ユニット３を用いる場合でも、適用することができる。また、室外ユニットを３つ以上用いる場合にも適用することができる。
また、本実施形態においては、システム制御部１０３により、ＧＨＰ制御部１００、ＥＨＰ制御部１０１および室内制御部１０２を統括して制御するようにしたが、本発明はこれに限定されない。例えば、空気調和装置のシステムを管理する管理会社が、サーバなどを経由して、システム制御部１０３などを直接制御するようにしてもよい。
【符号の説明】
【００４３】
１  空気調和装置
２  ＧＨＰ室外ユニット
３  ＥＨＰ室外ユニット
４  室内ユニット
１２  ガスエンジン
１３  ＧＨＰ圧縮機
１５  オイルセパレータ
１７,６５  室外熱交換器
４０  室内熱交換器
６２  ＥＨＰ圧縮機
１００  ＧＨＰ制御部
１０１  ＥＨＰ制御部
１０２  室内制御部
１０３  システム制御部
【図１】
2017150689.tif 000003
【図２】
2017150689.tif 000004
【図３】
2017150689.tif 000005
【図４】
2017150689.tif 000006
【図５】
2017150689.tif 000007
【図６】
2017150689.tif 000008